(57)【要約】【課題】  状態情報が複数グループに区分されて重ね合わされた画像表示において、隠された各グループの状態を常時視覚化してオペレータを支援することを可能とした状態表示装置を実現する。【解決手段】  プラントの機器から収集されたプロセスデータの状態を示す画像を複数グループに区分し、グループ毎の画像を集約して一画面に表示する状態表示装置において、  前記複数グループを、複数のタブシートの重ね合わせで前記画面に表示させるデータプロバイダと、  前記複数のタブシートのタブに、当該タブシートで表示される状態を示す代表アイコンを表示させるアイコンプロバイダと、を具備するタブシート管理部を備える。【選択図】                    図１
2010165026.tif 000002
【特許請求の範囲】
【請求項１】
プラントの機器から収集されたプロセスデータの状態を示す画像を複数グループに区分し、グループ毎の画像を集約して一画面に表示する状態表示装置において、
前記複数グループを、複数のタブシートの重ね合わせで前記画面に表示させるデータプロバイダ手段と、
前記複数のタブシートのタブに、当該タブシートで表示される状態を示す代表アイコンを表示させるアイコンプロバイダと、
を具備するタブシート管理部を備えることを特徴とする状態表示装置。
【請求項２】
前記状態アイコンプロバイダは、前記複数のタブシート毎に、当該タブシートで表示される状態の中で最も警報レベルの高い状態情報を前記データプロバイダより取得し、当該タブシートのタブに表示させる代表アイコンを決定することを特徴とする請求項１に記載の状態表示装置。
【請求項３】
前記データプロバイダは、定周期で状態情報データソースにアクセスし、前記タブシートに表示する状態情報を更新することを特徴とする請求項１または２に記載の状態表示装置。
【請求項４】
前記アイコンプロバイダは、更新処理中の状態情報を前記データプロバイダより取得した場合には、当該タブシートのタブに更新処理を示す代表アイコンを表示させることを特徴とする請求項３に記載の状態表示装置。
【請求項５】
前記複数のタブシートは、夫々のタブに消去ボタンを備え、前記データプロバイダは、この消去ボタンが押されたタブシートの前記画面への表示処理を終了させることを特徴とする請求項１乃至４のいずれかに記載の状態表示装置。
【請求項６】
前記タブシート管理部は、前記プラントの機器を制御する分散形制御システムの制御バスに接続された操作監視装置内に実装されていることを特徴とする請求項１乃至５のいずれかに記載の状態表示装置。
【請求項７】
前記タブシート管理部は、前記プラントの機器を制御する分散形制御システムの制御バスと通信化可能に接続された多変数モデル予測制御装置内に実装されていることを特徴とする請求項１乃至５のいずれかに記載の状態表示装置。
【請求項８】
前記タブシート管理部は、前記プラントの機器を制御する分散形制御システムの制御バスと通信化可能に接続された汎用ＰＣ内に実装されていることを特徴とする請求項１乃至５のいずれかに記載の状態表示装置。
【発明の詳細な説明】
【技術分野】
【０００１】
本発明は、プラントの機器から収集されたプロセスデータの状態を示す画像を複数グループに区分し、グループ毎の画像を集約して一画面に表示する状態表示装置に関するものである。
【背景技術】
【０００２】
図４は、従来の状態表示装置を備える分散形制御システムの機能ブロック図である。制御バス１０には、制御ステーション２０と操作監視装置３０が接続され、制御ステーション２０は操作監視装置３０と通信し、プラント機器４０を制御する。
【０００３】
操作制御装置３０は、状態情報データソース３１、オーバービュー管理部３２、表示部３３を備える。状態情報データソース３１は、制御ステーション２０から収集されるプロセスデータの状態情報（アラーム等）を定周期で更新して保持する。オーバービュー管理部３２は、状態情報データソース３１より状態情報を取得し、表示部３３に状態を表す複数の画像３４をオーバービュー表示する。
【０００４】
【特許文献１】特開２００７−３２３２７５号公報
【非特許文献１】横河技報Vol47 No.4(2003)P137〜P140        「高度制御パッケージExasmocR3とExarqeR3の機能連携による超深度脱硫プロセスへの高度制御の適用」
【発明の開示】
【発明が解決しようとする課題】
【０００５】
昨今、大量の情報を扱うに至り、複数の画像を用いて操作及び監視する必要が増大している。これに伴い、表示される画像も多様化してきており、また条件に応じて選択される画像も様々な状況が出てきている。従って、予め定義した画像の「状態」だけで操作監視することが難しくなってきている。
【０００６】
そのため、多岐に渡る状態情報を、装置毎，工程毎等で複数グループに区分し、グループ毎の状態を示す画像を集約して一画面に表示する手法が採用されている。従って、オーバービュー表示は複数画面の重ね合わせの画面表示形態となる。
【０００７】
この結果、オペレータは、全ての状態を示す画像を１画面で監視することができず、最前面の画面の下に別画面の画像が隠れてしまい、別画面の状態で示される重大なアラーム発生をリアルタイムに把握することが困難となる。即ち、従来のオーバービュー表示形態は、オペレータにとって重大な情報が必ずしも参照し易い形態で表示されていなかった。
【０００８】
本発明は上述した問題点を解決するためになされたものであり、状態情報が複数グループに区分されて重ね合わされた画像表示において、隠された各グループの状態を常時視覚化してオペレータを支援することを可能とした状態表示装置の実現を目的としている。
【課題を解決するための手段】
【０００９】
このような課題を達成するために、本発明は次の通りの構成になっている。
（１）プラントの機器から収集されたプロセスデータの状態を示す画像を複数グループに区分し、グループ毎の画像を集約して一画面に表示する状態表示装置において、
前記複数グループを、複数のタブシートの重ね合わせで前記画面に表示させるデータプロバイダと、
前記複数のタブシートのタブに、当該タブシートで表示される状態を示す代表アイコンを表示させるアイコンプロバイダと、
を具備するタブシート管理部を備えることを特徴とする状態表示装置。
【００１０】
（２）前記状態アイコンプロバイダは、前記複数のタブシート毎に、当該タブシートで表示される状態の中で最も警報レベルの高い状態情報を前記データプロバイダより取得し、当該タブシートのタブに表示させる代表アイコンを決定することを特徴とする（１）に記載の状態表示装置。
【００１１】
（３）前記データプロバイダは、定周期で状態情報データソースにアクセスし、前記タブシートに表示する状態情報を更新することを特徴とする請求項１または２に記載の状態表示装置。
【００１２】
（４）前記アイコンプロバイダは、更新処理中の状態情報を前記データプロバイダより取得したばあいには、当該タブシートのタブに更新処理を示す代表アイコンを表示させることを特徴とする（３）に記載の状態表示装置。
【００１３】
（５）前記複数のタブシートは、夫々のタブに消去ボタンを備え、前記データプロバイダは、この消去ボタンが押されたタブシートの前記画面への表示処理を終了させることを特徴とする（１）乃至（４）のいずれかに記載の状態表示装置。
【００１４】
（６）前記タブシート管理部は、前記プラントの機器を制御する分散形制御システムの制御バスに接続された操作監視装置内に実装されていることを特徴とする（１）乃至（５）のいずれかに記載の状態表示装置。
【００１５】
（７）前記タブシート管理部は、前記プラントの機器を制御する分散形制御システムの制御バスと通信化可能に接続された多変数モデル予測制御装置内に実装されていることを特徴とする（１）乃至（５）のいずれかに記載の状態表示装置。
【００１６】
（８）前記タブシート管理部は、前記プラントの機器を制御する分散形制御システムの制御バスと通信化可能に接続された汎用ＰＣ内に実装されていることを特徴とする（１）乃至（５）のいずれかに記載の状態表示装置。
【発明の効果】
【００１７】
本発明の構成によれば、次のような効果を期待することができる。
（１）最前面の画面に表示されている画像の他に、その下に隠れた画像を含めて、画像全ての状態を一列に並んだタブのアイコンのみで把握が可能になる。
【００１８】
（２）オペレータは、タブのアイコンから、アラーム状態にある画像を認識した場合、該当タブをクリックすることで、アラーム状態にある画像を確実に認識することができ、迅速かつ正確な操作監視の支援をすることができる。
【発明を実施するための最良の形態】
【００１９】
以下、本発明を図面により詳細に説明する。図１は、本発明を適用した状態表示装置の一実施形態を示す機能ブロック図である。図４に示した従来装置に対する特徴部は、タブシート管理部１００及び表示部２００の構成にある。状態情報データソース３００は、図４の状態情報データソース３１と同一機能である。
【００２０】
タブシート管理部１００は、複数グループの画像を、複数のタブシートの重ね合わせで表示部２００に表示させるデータプロバイダ１０１と、状態情報データソース３００にアクセスして状態情報を取得するデータアクセス手段１０２と、収集された状態情報を３組のタブシートデータＤ１，Ｄ２，Ｄ３に区分して保持するタブシートデータ保持手段１０３を備える。
【００２１】
データプロバイダ１０１は、タブシートデータＤ１の画像をタブシート２０１の形態で表示部２００の最前面に表示する。同様に、タブシートデータＤ２の画像をタブシート２０２の形態でタブシート２０１の裏側に表示する。同様に、タブシートデータＤ３の画像をタブシート２０３の形態でタブシート２０２の裏側に表示する。データプロバイダ１０１は、定周期で状態情報データソース３００にアクセスし、タブシートに表示する状態情報を更新する。
【００２２】
タブシート２０２，２０３は、タブシート２０１の裏側に隠されるが、３枚のタブシートのタブはずらされて表示されるので、全てのタブシートのタブ部分は常に表示部２００に表示される。
【００２３】
このようなタブシートによる複数画面の重ね合わせ表示手法は周知の技術である。本発明の特徴は、複数のタブシートのタブに、当該タブシートで表示される状態を示す代表アイコンを表示させる機能を備える構成にある。
【００２４】
この機能を実現するために、タブシート管理部１００は、アイコンプロバイダ１０４及び状態を表すアイコン群を保持する状態アイコンテーブル１０５を備える。状態アイコンテーブル１０５で保持されるアイコンは、外部でエンジニアリングして生成されたアイコンファイル４０１，４０２より取得する。
【００２５】
アイコンプロバイダ１０４は、複数のタブシート毎に、当該タブシートで表示される状態の中で最も警報レベルの高い状態情報をデータプロバイダ１０１より取得し、当該タブシートのタブに表示させる代表アイコンを決定し、状態アイコンテーブル１０５より選択してタブシートのタブにアイコン２０１Ａ，２０２Ａ，２０３Ａを表示する。
【００２６】
どの状態にときにどのアイコンをタブに表示させるか、また、タブシート内で複数のアラーム状態が発生した場合にどれを代表アイコンとしてタブに表示させるかは、予めエンジニアリングにより決定して状態アイコンテーブル１０５に登録しておくものとする。
【００２７】
アイコンプロバイダ１０４は、プログラム等の更新処理中の状態情報をデータプロバイダ１０１より取得した場合には、当該タブシートのタブに更新処理を示す代表アイコンを表示させる。
【００２８】
このような構成により、オペレータは全てのタブシートのタブに表示されている状態アイコンを、タブシートの重なりの順番に依存することなく、全てをリアルタイムに監視することが可能である。従って、優先処理すべきタブシートを即座に選択して最前面に表示させ、当該タブシート内の状態を示す画像を監視することが可能となる。
【００２９】
図２は、本発明を適用したタブシートの主要部を拡大して示す表示画面である。複数のタブシート２０１，２０２，２０３は、アイコン２０１Ａ，２０２Ａ，２０３Ａに加えて夫々のタブに消去ボタン２０１Ｂ，２０２Ｂ，２０３Ｂを備えている。データプロバイダ１０１は、この消去ボタンが押されたタブシートの表示処理を終了させる。
【００３０】
図４に示した分散型制御システムに本発明を適用する場合、一般的な構成としてはタブシート管理部１００を、制御バス１０に接続された操作監視装置３０内に実装する構成をとる。
【００３１】
分散形制御システムの制御バスに通信化可能に接続された多変数モデル予測制御装置または汎用ＰＣ内を備えるシステムでは、タブシート管理部１００を多変数モデル予測制御装置または汎用ＰＣ内に実装する構成でもよい。
【００３２】
図３は、本発明が適用された多変数モデル予測制御装置を備える分散形制御システムの機能ブロック図である。図４で説明した従来装置と同一要素には同一符号を付して説明を省略する。
【００３３】
制御バス１０には、データサーバ５０が接続されデータ収集部５１が制御ステーション２０からプロセスデータを収集し、データ保持部５２に格納する。更に制御バス１０には、多変数モデル予測制御装置６０及び汎用ＰＣ７０が接続されている。
【００３４】
多変数モデル予測制御装置６０については、非特許文献１に詳細が開示されており、プロセスモデルを用いた高度の予測演算や監視を実行する。この多変数モデル予測制御装置６０内に、本発明の主要部であるタブシート管理部１００と表示部２００と状態情報データソース３００を実装させる。
【００３５】
多変数モデル予測制御装置６０の予測演算部６１は、データサーバ５０のデータ保持部５１より読み出したデータに基づく予測演算データを、演算データ保持部６２に格納する。格納された演算データから選択された状態情報が態情報データソース３００に送られて保持される。
【００３６】
汎用ＰＣ７０は、図４の実施形態では制御バス１０に接続されているが、制御バス１０と通信可能なネットワークを介して遠隔地に接続され、このＰＣ内に本発明の主要部であるタブシート管理部１００と表示部２００と状態情報データソース３００を実装させる構成であってもよい。
【図面の簡単な説明】
【００３７】
【図１】本発明を適用した状態表示装置の一実施形態を示す機能ブロック図である。
【図２】本発明を適用したタブシートの主要部を拡大して示す表示画面である。
【図３】本発明が適用された多変数モデル予測制御装置を備える分散形制御システムの機能ブロック図である。
【図４】従来の状態表示装置を備える分散形制御システムの機能ブロック図である。
【符号の説明】
【００３８】
１００  タブシート管理部
１０１  データプロバイダ
１０２  タブシートデータ保持手段
１０３  データアクセス手段
１０４  アイコンプロバイダ
１０５  状態アイコンテーブル
２００  表示部
２０１，２０２，２０３  タブシート
２０１Ａ，２０２Ａ，２０３Ａ  状態アイコン
３００  状態情報データソース
４０１，４０２  アイコンファイル
【図４】
2010165026.tif 000003
【図１】
2010165026.tif 000004
【図２】
2010165026.tif 000005
【図３】
2010165026.tif 000006